【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツの前面に当該第１コンテンツとは異なる第２コンテンツを重ねて表示する表示手順と、
前記第１コンテンツに対する移動操作が行われた場合は、前記第２コンテンツを移動させずに、当該第２コンテンツのうち表示される領域の端を徐々に狭めることで、前記第１コンテンツが表示される領域の広さを変更する制御手順と、
を実行させるための情報表示プログラム。
【請求項２】
前記制御手順は、前記移動操作に対して前記第２コンテンツのうち表示される領域の端を断続的に移動させることで、当該第２コンテンツのうち表示される領域の幅を徐々に狭める
ことを特徴とする請求項１に記載の情報表示プログラム。
【請求項３】
前記制御手順は、前記第２コンテンツのうち表示される領域の幅を、前記移動操作が行われた方向に前記第１コンテンツを移動させる量よりも短い量だけ移動させる
ことを特徴とする請求項１または２に記載の情報表示プログラム。
【請求項４】
前記制御手順は、前記第１コンテンツを画面下方向に移動させる移動操作に従って、前記第２コンテンツのうち表示される領域の下端を前記画面下方向に向けて移動させる
ことを特徴とする請求項１〜３のうちいずれか１つに記載の情報表示プログラム。
【請求項５】
前記制御手順は、前記第１コンテンツを画面上方向に移動させる移動操作に従って、前記第２コンテンツのうち表示される領域の下端を前記画面上方向に向けて移動させる
ことを特徴とする請求項１〜４のうちいずれか１つに記載の情報表示プログラム。
【請求項６】
前記表示手順は、複数の第２コンテンツを並べて配置し、
前記制御手順は、前記移動操作に従って、各第２コンテンツのうち表示される領域をそれぞれ個別に狭める
ことを特徴とする請求項１〜５のうちいずれか１つに記載の情報表示プログラム。 
【請求項７】
前記制御手順は、前記複数の第２コンテンツのうち表示される領域をそれぞれ異なるタイミングで狭めることを特徴とする請求項６に記載の情報表示プログラム。 
【請求項８】
前記制御手順は、第２コンテンツが不可視状態である際に前記移動操作が行われた場合は、前記第２コンテンツを移動させずに、当該第２コンテンツのうち表示される領域を前記移動操作が行われた方向へ広げることで、前記第１コンテンツが表示される領域の広さを狭める
ことを特徴とする請求項１〜７のうちいずれか１つに記載の情報表示プログラム。 
【請求項９】
前記制御手順は、前記第２コンテンツが不可視状態である際に前記第１コンテンツを画面上方向に移動させる移動操作が行われた場合は、前記第２コンテンツのうち表示される領域の上端を、前記画面上方向に向けて移動させることを特徴とする請求項８に記載の情報表示プログラム。
【請求項１０】
前記表示手順は、前記第２コンテンツと表示サイズが同じ第３コンテンツを、前記第２コンテンツと同じ位置に不可視状態で配置し、
前記制御手順は、前記第２コンテンツのうち表示される領域を前記移動操作が行われた方向へ狭めると同時に、前記第３コンテンツを移動させずに、当該第３コンテンツのうち表示される領域を前記移動操作が行われた方向へ広げることを特徴とする請求項８または９に記載の情報表示プログラム。 
【請求項１１】
前記制御手順は、前記第２コンテンツの全体が表示されている際に、前記移動操作が行われた場合は、前記第２コンテンツのうち表示される領域を前記移動操作が行われた方向へ狭めると同時に、前記第３コンテンツを移動させずに、当該第３コンテンツのうち表示される領域を前記移動操作が行われた方向へ広げることを特徴とする請求項１０に記載の情報表示プログラム。 
【請求項１２】
前記制御手順は、前記第３コンテンツの全体が表示されている際に、前記移動操作が行われた場合は、前記第３コンテンツのうち表示される領域を前記移動操作が行われた方向へ狭めることで、前記第１コンテンツが表示される領域の広さを拡大することを特徴とする請求項１１に記載の情報表示プログラム。
【請求項１３】
第１コンテンツの前面に当該第１コンテンツとは異なる第２コンテンツを重ねて表示する表示部と、
前記第１コンテンツに対する移動操作が行われた場合は、前記第２コンテンツを移動させずに、当該第２コンテンツのうち表示される領域の端を徐々に狭めることで、前記第１コンテンツが表示される領域の広さを変更する制御部と、
を有することを特徴とする情報表示装置。
【請求項１４】
情報表示装置が実行する情報表示方法であって、
第１コンテンツの前面に当該第１コンテンツとは異なる第２コンテンツを重ねて表示する表示工程と、
前記第１コンテンツに対する移動操作が行われた場合は、前記第２コンテンツを移動させずに、当該第２コンテンツのうち表示される領域の端を徐々に狭めることで、前記第１コンテンツが表示される領域の広さを変更する制御工程と、
を含むことを特徴とする情報表示方法。
【請求項１５】
第１コンテンツと当該第１コンテンツとは異なる第２コンテンツとを表示する端末装置に対して、制御情報を配信する配信部を備え、
前記制御情報は、
前記第１コンテンツの前面に前記第２コンテンツを重ねて表示する表示手順と、
前記第１コンテンツに対する移動操作が行われた場合は、前記第２コンテンツを移動させずに、当該第２コンテンツのうち表示される領域の端を徐々に狭めることで、前記第１コンテンツが表示される領域の広さを変更する制御手順と、
を前記端末装置に実行させるための制御情報であることを特徴とする配信装置。
【請求項１６】
配信装置が実行する配信方法であって
第１コンテンツと当該第１コンテンツとは異なる第２コンテンツとを表示する端末装置に対して、制御情報を配信する配信工程を含み、
前記制御情報は、
前記第１コンテンツの前面に前記第２コンテンツを重ねて表示する表示手順と、
前記第１コンテンツに対する移動操作が行われた場合は、前記第２コンテンツを移動させずに、当該第２コンテンツのうち表示される領域の端を徐々に狭めることで、前記第１コンテンツが表示される領域の広さを変更する制御手順と、
を前記端末装置に実行させるための制御情報であることを特徴とする配信方法。
【手続補正２】
【補正対象書類名】明細書
【補正対象項目名】発明の名称
【補正方法】変更
【補正の内容】
【発明の名称】情報表示プログラム、情報表示装置、情報表示方法、配信装置および配信方法
【手続補正３】
【補正対象書類名】明細書
【補正対象項目名】０００１
【補正方法】変更
【補正の内容】
【０００１】
本発明は、情報表示プログラム、情報表示装置、情報表示方法、配信装置および配信方法に関する。
【手続補正４】
【補正対象書類名】明細書
【補正対象項目名】０００６
【補正方法】変更
【補正の内容】
【０００６】
本願に係る情報表示プログラムは、第１コンテンツの前面に当該第１コンテンツとは異なる第２コンテンツを重ねて表示する表示手順と、前記第１コンテンツに対する移動操作が行われた場合は、前記第２コンテンツを移動させずに、当該第２コンテンツのうち表示される領域の端を徐々に狭めることで、前記第１コンテンツが表示される領域の広さを変更する制御手順と、を実行させることを特徴とする。
【手続補正５】
【補正対象書類名】明細書
【補正対象項目名】０００９
【補正方法】変更
【補正の内容】
【０００９】
以下に、本願に係る情報表示プログラム、情報表示装置、情報表示方法、配信装置および配信方法を実施するための形態（以下、「実施形態」と記載する。）について図面を参照しつつ詳細に説明する。なお、この実施形態により本願に係る情報表示プログラム、情報表示装置、情報表示方法、配信装置および配信方法が限定されるものではない。また、以下の各実施形態において同一の部位には同一の符号を付し、重複する説明は省略される。